(57)【要約】【課題】床スラブの上面より起立して床材を支持する床用支持束において、上下方向に延びる束本体の下部に結合されて床スラブ上に載置される台座をコンクリートブロック製としただけの簡単な構造で、床から階下へ伝わる重量衝撃音を効果的に低減可能とする。【解決手段】床用支持束Ｔは、床材Ｆを支持し得る床材支持部Ａを上部に有して上下方向に延びる束本体Ｔａと、その束本体Ｔａの下部に結合されて床スラブＳ上に載置されるコンクリートブロック製の台座Ｔｂとを少なくとも備える。【選択図】  図２
2015137452.tif 000002
【特許請求の範囲】
【請求項１】
鉄筋コンクリート製の床スラブ（Ｓ）の上面より起立して床材（Ｆ）を支持する床用支持束において、
床材（Ｆ）を支持し得る床材支持部（Ａ）を上部に有して上下方向に延びる束本体（Ｔａ）と、その束本体（Ｔａ）の下部に結合されて床スラブ（Ｓ）上に載置されるコンクリートブロック製の台座（Ｔｂ）とを少なくとも備えることを特徴とする床用支持束。
【請求項２】
前記束本体（Ｔａ）の下部が前記台座（Ｔｂ）に着脱可能に結合されることを特徴とする、請求項１に記載の床用支持束。
【請求項３】
前記請求項１又は２に記載の床用支持束（Ｔ）を複数備え、それら支持束（Ｔ）を床スラブ（Ｓ）上に相互に間隔をおいて並置して、それら支持束（Ｔ）上に床材（Ｆ）を支持する床構造であって、
前記台座（Ｔｂ）の下面と床スラブ（Ｓ）の上面との間には板状の防振ゴム（Ｒ）が介在することを特徴とする床構造。
【発明の詳細な説明】
【技術分野】
【０００１】
本発明は、鉄筋コンクリート製の床スラブの上面より起立して床材を支持する床用支持束、並びにその支持束を用いた床構造に関する。
【背景技術】
【０００２】
従来の上記床用支持束としては、例えば床材支持部を上部に有して上下方向に延びる束本体と、その束本体の下部に結合されると共に床スラブ上に載置される硬質ゴム製の台座とを備えたものが知られている（図４及び下記非特許文献１を参照）。
【０００３】
そして、このような支持束を介して床材を床スラブ上面から浮かして支持する床構造は所謂二重床或いは置き床と呼ばれ、保温性や遮音性が良好である等の利点を有する。
【先行技術文献】
【非特許文献】
【０００４】
【非特許文献１】「二重床の問題点と防音方針／防音職人の研究室」（http://oto-taisaku.com/oto-labo/double-floor.html ）
【発明の概要】
【発明が解決しようとする課題】
【０００５】
ところでマンション等の集合住宅においては、床から階下へ伝わる低周波の重量衝撃音（例えば子供が床を飛び跳ねる音や、重量物を床に落とした際の音等）を低減することが望ましく、従来の二重床でも、支持束下端の台座を硬質の防振ゴム製とすることによって重量衝撃音の低減が一応、図られている。
【０００６】
しかしながら重量衝撃音は、高周波の軽量衝撃音（例えば歩行音や食器等の軽量物を床に落とした際の音等）とは異なり、建築構造物の構造自体の性能に影響を受け易く、たとえ床仕上に工夫をしても遮音性を高めることが難しい問題がある。そして、従来のように支持束の台座を防振ゴム製とし、或いは木製としても、重量衝撃音を十分に低減させることはできなかった。
【０００７】
また、重量衝撃音を低減するために鉄筋コンクリート製の床スラブを床全域に亘り厚肉に形成することも考えられるが、その場合には多大なコスト増となる上、階高も高くなってしまう等の不都合がある。
【０００８】
本発明は、上記に鑑み提案されたものであって、支持束の台座をコンクリートブロック製としただけの簡単な構造で重量衝撃音を効果的に低減できるようにした床用支持束及び床構造を提供することを目的とする。
【課題を解決するための手段】
【０００９】
前記目的を達成するために、請求項１の発明は、鉄筋コンクリート製の床スラブの上面より起立して床材を支持する床用支持束において、床材を支持し得る床材支持部を上部に有して上下方向に延びる束本体と、その束本体の下部に結合されて床スラブ上に載置されるコンクリートブロック製の台座とを少なくとも備えることを特徴とする。
【００１０】
また請求項２の発明は、請求項１の発明の前記特徴に加えて、前記束本体の下部が前記台座に着脱可能に結合されることを特徴とする。
【００１１】
また請求項３の発明は、前記請求項１又は２に記載の床用支持束を複数備え、それら支持束を床スラブ上に相互に間隔をおいて並置して、それら支持束上に床材を支持する床構造であって、前記台座の下面と床スラブの上面との間には板状の防振ゴムが介在することを特徴とする。
【発明の効果】
【００１２】
本発明によれば、床スラブ上面より起立して床材を支持する床用支持束において、上下方向に延びる束本体の下部に結合されて床スラブ上に載置される台座をコンクリートブロック製としただけの簡単な構造で、床から階下へ伝わる重量衝撃音を効果的に低減可能となり、しかも重量衝撃音低減のために床スラブ全域を特別に厚肉化する必要はないから、新築の建物は勿論のこと、既築の建物にも低コストで容易に適用可能であって汎用性が高い。その上、支持束の台座を頑丈且つ重量大のコンクリートブロック製としたことで、支持束、延いては床材に対する支持を安定させることができる。
【００１３】
また特に請求項２の発明によれば、束本体の下部がコンクリートブロック製の台座に着脱可能に結合されるので、束本体とコンクリートブロック製の台座とを別々に製造し、輸送時や保管時に別個に取り扱うことができるので、支持束全体が嵩張るのを抑えて取り扱いの簡便を図ることができる。
【００１４】
また特に請求項３の発明によれば、支持束を床スラブ上にセットした状態では、コンクリートブロック製の台座の下面と床スラブの上面との間に板状の防振ゴムが介在するので、床から階下へ伝わる重量衝撃音を一層効果的に低減でき、また床スラブ上面に多少の凹凸が有ってもコンクリートブロック製の台座を床スラブ上面にガタなく且つ安定よく載置可能となる。
【図面の簡単な説明】
【００１５】
【図１】本発明の床構造の一実施形態を示す、一部を破断した全体斜視図
【図２】本発明の床用支持束の一実施形態を示す全体斜視図（図１の２矢視部拡大斜視図）
【図３】前記床用支持束の要部縦断面図（図２の３−３線拡大断面図）
【図４】従来の床用支持束の一例を示す図３対応縦断面図
【発明を実施するための形態】
【００１６】
本発明の実施の形態を、添付図面により以下に具体的に説明する。
【００１７】
先ず、図１〜図３において、マンション等の集合住宅の床スラブＳは、その集合住宅の各階の居室空間を仕切る躯体壁として鉄筋コンクリートで構成される。そして、この床スラブＳの平坦な上面には、その上面から所定高さ浮かせて配置される床材Ｆが、該床スラブＳの前後左右に所定間隔をおいて並列配置した複数の支持束Ｔを介して支持され、これにより本発明に係る二重床構造が構成される。
【００１８】
各々の支持束Ｔは、床材支持部Ａを上部に有して上下方向に直線状に延びる金属製の束本体Ｔａと、その束本体Ｔａの下部に結合されて床スラブＳ上に載置されるコンクリートブロック製の台座Ｔｂとを少なくとも備える。前記台座Ｔｂは、本実施形態では直方体状に成形されていて、例えば縦横が各々１２０ｍｍ、高さが５０〜１５０ｍｍ程度のサイズに形成される。
【００１９】
尚、本発明において、支持束Ｔにおける台座Ｔｂの形態は、本実施形態に限定されず、即ち、束本体Ｔａを安定よく起立、保持でき且つ後述するように床から階下へ伝わる重量衝撃音を効果的に低減できる形態であれば種々の形態を選定可能であり、例えば円柱状に、或いは横断面正多角形状に成形してもよい。
【００２０】
本実施形態において束本体Ｔａは、上下方向に延びる支持ボルト（例えば直径が１２ｍｍのネジ棒）より構成されており、その束本体Ｔａの少なくとも下半部外周には、雄ネジ部１が刻設される。そして、この雄ネジ部１と螺合する有底の袋ナット２が前記台座Ｔｂに一体的に結合される。即ち、その袋ナット２は、それの上向き開口端を台座Ｔｂの上面に開口させるようにして、台座Ｔｂ中に埋設、固定されている。
【００２１】
前記束本体Ｔａの上端部には、水平板状の金属プレート３が固着（溶接）され、更にその金属プレート３上には、パーチクルボード等よりなる硬質の支持板４がビス等の固着手段５で固着される。
【００２２】
ところで床材Ｆは、本実施形態では矩形状のパーチクルボード等よりなる硬質の床ベース板１０と、その床ベース板１０上に接合される床仕上げ部材１１とで構成されており、その床仕上げ部材１１としては、カーペット材、Ｐタイル材、化粧合板材等の従来周知の床仕上げ材が適宜、使用される。その床ベース板１０の下面は前記支持板４上に載置され且つビス等の固着手段１２で固着される。而して前記金属プレート３及び支持板４は互いに協働して、束本体Ｔａの上部に設けられる本発明の床材支持部Ａを構成する。
【００２３】
かくして、支持束Ｔは、上記のように束本体Ｔａの下半部の雄ネジ部１を台座Ｔｂ中の袋ナット２に螺挿させることで、台座Ｔｂに対し着脱可能に且つ高さ調節自在に結合されるものである。
【００２４】
さらに前記台座Ｔｂの下面と床スラブＳの上面との間には、硬質ゴムよりシート状に形成された防振ゴムＲが介在している。この防振ゴムＲは、台座Ｔｂの底面に接着その他の固着手段で予め固着してもよいし、或いは床構築作業の現場で台座Ｔｂを床スラブＳ上に設置する際に、台座Ｔｂの下面と床スラブＳの上面との間に防振ゴムＲを挟み込ませるようにしてもよい。
【００２５】
次に前記実施形態の作用を説明する。本実施形態の二重床を構築するには、先ず、床スラブＳの上面に複数の支持束Ｔを前後左右に所定間隔をおいて起立姿勢で設置する。この場合、支持束Ｔは、予め台座Ｔｂと束本体Ｔａとを工場等で別々に製造しておき、それらを工場又は作業現場で組み立て（即ち束本体Ｔａの下部を台座Ｔｂ中の袋ナット３に螺挿させ）るようにし、また台座Ｔｂの下面と床スラブＳの上面との間にはシート状の防振ゴムＲを挟み込ませるようにする。そして、束本体Ｔａは、これと台座Ｔｂ中の袋ナット３との螺合位置を調節することで、束本体Ｔａの上部に設けた床材支持部Ａの高さ調整を任意に且つ容易に行うことができる。
【００２６】
次いで、パーチクルボード等よりなる複数の床ベース板１０を、それらの外周部に対応した位置にある束本体Ｔａ上端の床材支持部Ａ（特に支持板４）上に載置し且つビス止めすることにより、その複数の床ベース板１０で平坦な床面を構築し、その上にカーペット材等の床仕上げ材１１を一面に敷設する。
【００２７】
このようにして得られる二重床構造においては、床スラブＳ上に載置される支持束Ｔの台座Ｔｂをコンクリートブロックで構成したことにより、同じくコンクリート製の床スラブＳの、支持束Ｔ（台座Ｔｂ）対応部分が実質的にコンクリートで厚肉化されたのとほぼ同様の遮音効果をもたらすようになり、そのため、床スラブＳを床全域に亘り特別に厚肉化しなくても、床から階下へ伝わる重量衝撃音を効果的に低減することができる。
【００２８】
即ち、支持束Ｔの台座Ｔｂを単にコンクリートブロック製としただけの簡単な構造で、床から階下へ伝わる重量衝撃音を効果的に低減可能となり、しかもその台座Ｔｂが頑丈且つ重量大のコンクリートブロック製であることで、起立姿勢の束本体Ｔｂ、延いては床材Ｆに対する支持を安定させることができる。
【００２９】
また本実施形態においては、束本体Ｔａの下部がコンクリートブロック製の台座Ｔｂに螺合（従って高さ着脱可能に且つ調節可能に結合）されるので、束本体Ｔａのレベル調整が容易である。その上、束本体Ｔａとコンクリートブロック製の台座Ｔｂとを別々に製造し、輸送時や保管時等に別個の部品として取り扱うことができるので、輸送時や保管時等において支持束Ｔ全体が嵩張るのを抑えて、取り扱いの簡便化が図られる。
【００３０】
さらに本実施形態では、支持束Ｔを床スラブＳ上にセットした状態では、コンクリートブロック製の台座Ｔｂの下面と床スラブＳの上面との間に板状の防振ゴムＲが介在するので、床から階下へ伝わる重量衝撃音を一層効果的に低減可能となっている。また床スラブＳ上面に、コンクリートの打ちっ放しによる多少の凹凸が存在しても、その凹凸に防振ゴムＲが無理なく馴染んで、床スラブＳの上面にコンクリートブロック製の台座Ｔｂをガタなく且つ安定よく載置させることができる。
【００３１】
以上、本発明の実施の形態について説明したが、本発明はその実施の形態に限定されることなく、本発明の範囲内で種々の実施の形態が可能である。
【００３２】
たとえば、前記実施形態では、台座Ｔｂをコンクリートブロック製としたものを示したが、本発明では、台座Ｔｂを構成するコンクリートブロック中に補強用鉄筋を一体に埋設して台座を補強するようにしてもよい。
【００３３】
また前記実施形態では、支持束Ｔの束本体Ｔａを支持ボルトより構成してその下半部を台座Ｔｂ中の袋ナット３に螺合させることで、束本体Ｔａを台座Ｔｂに対し着脱可能に且つ高さ調節可能としたものを示したが、本発明では、コンクリートブロック製の台座を工場等で製造する際に、束本体の下部を台座に一体に（即ち着脱不能に）埋設、結合するようにしてもよい。尚、この場合には、床材支持部Ａ（例えば前記実施形態の支持板４に相当する機能部品）を高さ調節可能とするために、例えば束本体Ｔｂの上部に床材支持部Ａを螺合したり或いは束本体Ｔｂ自体を長さ調節可能に構成すればよい。
【符号の説明】
【００３４】
Ａ・・・・・床材支持部
Ｆ・・・・・床材
Ｒ・・・・・防振ゴム
Ｓ・・・・・床スラブ
Ｔ・・・・・床用支持束
Ｔａ・・・・束本体
Ｔｂ・・・・コンクリートブロック製の台座
【図１】
2015137452.tif 000003
【図２】
2015137452.tif 000004
【図３】
2015137452.tif 000005
【図４】
2015137452.tif 000006